【手続補正書】
【提出日】平成18年8月11日(2006.8.11)
【手続補正１】
【補正対象書類名】明細書
【補正対象項目名】特許請求の範囲
【補正方法】変更
【補正の内容】
【特許請求の範囲】
【請求項１】  （Ｅ）−７−［４−（４−フルオロフェニル）−６−イソプロピル−２−［メチル（メチルスルホニル）アミノ］ピリミジン−５−イル］（３Ｒ，５Ｓ）−３，５−ジヒドロキシヘプツ−６−エン酸又はその製剤的に許容される塩であるＨＭＧ−ＣｏＡレダクターゼ阻害剤と、Ｐ４５０アイソザイム３Ａ４の阻害剤、誘導剤又は基質である薬物とを含んでなる、非相互作用性の薬物組み合わせ。
【請求項２】  第二の薬物がＰ４５０アイソザイム３Ａ４の阻害剤又は誘導剤である、請求項１に記載の非相互作用性の薬物組み合わせ。
【請求項３】  各薬物が一緒に投与されるか、又は各薬物が連続的に投与される、請求項１又は請求項２のいずれかに記載の非相互作用性の薬物組み合わせ。
【請求項４】  第二の薬物がコレステロールを低下させるために使用され、Ｐ４５０アイソザイム３Ａ４の誘導剤、阻害剤又は基質である、請求項１〜３のいずれか１項に記載の非相互作用性の薬物組み合わせ。
【請求項５】  第二の薬物がベザフィブラート、クロフィブラート、フェノフィブラート、ジェムフィブロジル及びナイアシンから選択される、請求項４に記載の非相互作用性の薬物組み合わせ。
【請求項６】  第二の薬物がフェノフィブラートである、請求項５に記載の非相互作用性の薬物組み合わせ。
【請求項７】  第二の薬物が心臓血管系の病態を治療するのに使用され、Ｐ４５０アイソザイム３Ａ４の阻害剤、誘導剤又は基質でもある、請求項１〜３のいずれか１項に記載の非相互作用性の薬物組み合わせ。
【請求項８】  第二の薬物がジギトキシン、ジルチアゼム、ロサルタン、ニフェジピン、キニジン、ベラパミル及びワルファリンから選択される、請求項７に記載の非相互作用性の薬物組み合わせ。
【請求項９】  第二の薬物が免疫抑制治療に使用され、Ｐ４５０アイソザイム３Ａ４の誘導剤、阻害剤又は基質である、請求項１〜３のいずれか１項に記載の非相互作用性の薬物組み合わせ。
【請求項１０】  第二の薬物がシクロスポリン、タクロリムス及びコルチコステロイドから選択される、請求項９に記載の非相互作用性の薬物組み合わせ。
【請求項１１】  （Ｅ）−７−［４−（４−フルオロフェニル）−６−イソプロピル−２−［メチル（メチルスルホニル）アミノ］ピリミジン−５−イル］（３Ｒ，５Ｓ）−３，５−ジヒドロキシヘプツ−６−エン酸又はその製剤的に許容される塩が１日１回５、１０、２０、４０又は８０ｍｇで投薬される、請求項１〜１０のいずれか１項に記載の非相互作用性の薬物組み合わせ。
【請求項１２】  （Ｅ）−７−［４−（４−フルオロフェニル）−６−イソプロピル−２−［メチル（メチルスルホニル）アミノ］ピリミジン−５−イル］（３Ｒ，５Ｓ）−３，５−ジヒドロキシヘプツ−６−エン酸又はその製剤的に許容される塩、Ｐ４５０アイソザイム３Ａ４の誘導剤、阻害剤又は基質である薬物、及び製剤的に許容される希釈剤、担体又はアジュバントを含んでなる、医薬製剤。
【請求項１３】  第二の薬物がＰ４５０アイソザイム３Ａ４の基質であり、アセトアミノフェン、アルドリン、アフレンタニル、アミオドラン、アステミゾール、ベンズフェタミン、ブデノシド、カルバマゼピン、シクロホスファミド、シクロスポリン、ダプソーン、ジギトキシン、ジルチアゼム、ジアゼパム、エリスロマイシン、エトポシド、フルタミド、ヒドロキシアルギニン、イホスファミド、イミプラミン、ランソプラゾール、リドカイン、ロバチジン、ロサルタン、ロバスタチン、ミドラゾラム、ニフェジピン、オメプラゾール、キニジン、ラパマイシン、レチノイン酸、ステロイド類、タクロリムス、テニポシド、テオフィリン、トレミフェン、トリアゾラム、トロレアンドマイシン、ベラパミル、ワルファリン、ザトセトロン及びゾニサミドから選択される、請求項１２に記載の医薬製剤。
【請求項１４】  第二の薬物がＰ４５０アイソザイム３Ａ４の阻害剤であり、クロトリマゾール、エチニルエストラジオール、ゲストデン、イトラコナゾール、ケトコナゾール、ミコナゾール、ジルチアゼム、ナリンゲニン、エリスロマイシン、シクロスポリン及びトリアセチルオレアンドマイシンから選択される、請求項１２に記載の医薬製剤。
【請求項１５】  第二の薬物がＰ４５０アイソザイム３Ａ４の誘導剤であり、カルバマゼピン、デキサメサゾン、フェノバルビタール、フェニトイン、リファンピン、スルファジミジン、スルフィニピラゾン及びトリアセチルオレアンドマイシンから選択される、請求項１２に記載の医薬製剤。
【請求項１６】  （Ｅ）−７−［４−（４−フルオロフェニル）−６−イソプロピル−２−［メチル（メチルスルホニル）アミノ］ピリミジン−５−イル］（３Ｒ，５Ｓ）−３，５−ジヒドロキシヘプツ−６−エン酸又はその製剤的に許容される塩である第一の薬物と、Ｐ４５０アイソザイム３Ａ４の誘導剤、阻害剤又は基質である第二の薬物を含んでなる、調剤パック。
【請求項１７】  第二の薬物がコレステロールを低下させるために使用され、Ｐ４５０アイソザイム３Ａ４の誘導剤、阻害剤又は基質である、請求項１６に記載の調剤パック。
【請求項１８】  第二の薬物がベザフィブラート、クロフィブラート、フェノフィブラート、ジェムフィブロジル及びナイアシンから選択される、請求項１７に記載の調剤パック。
【請求項１９】  第二の薬物が心臓血管系の病態を治療するのに使用され、Ｐ４５０アイソザイム３Ａ４の阻害剤、誘導剤又は基質でもある、請求項１６に記載の調剤パック。
【請求項２０】  第二の薬物がジギトキシン、ジルチアゼム、ロサルタン、ニフェジピン、キニジン、ベラパミル及びワルファリンから選択される、請求項１９に記載の調剤パック。
【請求項２１】  第二の薬物がＰ４５０アイソザイム３Ａ４の基質であり、アセトアミノフェン、アルドリン、アフレンタニル、アミオドラン、アステミゾール、ベンズフェタミン、ブデノシド、カルバマゼピン、シクロホスファミド、シクロスポリン、ダプソーン、ジギトキシン、ジルチアゼム、ジアゼパム、エリスロマイシン、エトポシド、フルタミド、ヒドロキシアルギニン、イホスファミド、イミプラミン、ランソプラゾール、リドカイン、ロバチジン、ロサルタン、ロバスタチン、ミドラゾラム、ニフェジピン、オメプラゾール、キニジン、ラパマイシン、レチノイン酸、ステロイド類、タクロリムス、テニポシド、テオフィリン、トレミフェン、トリアゾラム、トロレアンドマイシン、ベラパミル、ワルファリン、ザトセトロン及びゾニサミドから選択される、請求項１６に記載の調剤パック。
【請求項２２】  第二の薬物がＰ４５０アイソザイム３Ａ４の阻害剤であり、クロトリマゾール、エチニルエストラジオール、ゲストデン、イトラコナゾール、ケトコナゾール、ミコナゾール、ジルチアゼム、ナリンゲニン、エリスロマイシン、シクロスポリン及びトリアセチルオレアンドマイシンから選択される、請求項１６に記載の調剤パック。
【請求項２３】  第二の薬物がＰ４５０アイソザイム３Ａ４の阻害剤であり、カルバマゼピン、デキサメサゾン、フェノバルビタール、フェニトイン、リファンピン、スルファジミジン、スルフィニピラゾン及びトリアセチルオレアンドマイシンから選択される、請求項１６に記載の調剤パック。
【請求項２４】  Ｐ４５０アイソザイム３Ａ４の誘導剤、阻害剤又は基質である第二の薬物との組み合わせ療法に使用する医薬品の製造における、（Ｅ）−７−［４−（４−フルオロフェニル）−６−イソプロピル−２−［メチル（メチルスルホニル）アミノ］ピリミジン−５−イル］（３Ｒ，５Ｓ）−３，５−ジヒドロキシヘプツ−６−エン酸又はその製剤的に許容される塩の使用。